(57)【要約】【課題】マトリクス型表示装置の表示方法においては、画面全体の表示速度を早くする工夫が必要である。【解決手段】画像情報に基づいて複数の電極1314，1415に電圧が印加されることにより当該電圧印加の各電極に対応した表示ライン１，２，３，・・・ｍが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動する。【選択図】図２
2005338581.tif 000002
【特許請求の範囲】
【請求項１】
画像情報に基づいて複数の電極に電圧が印加されることにより当該電圧印加の各電極に対応した表示ラインが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動することを特徴とするマトリクス型表示装置の表示方法。
【請求項２】
請求項１に記載のマトリクス型表示装置の表示方法において、先頭の表示ラインの側の表示ラインに対応する前記画像情報および最後尾の表示ラインの側の表示ラインに対応する前記画像情報の少なくとも一方から順次に前記検索を行うことを特徴とするマトリクス型表示装置の表示方法。
【請求項３】
請求項１及び請求項２の何れか一に記載のマトリクス型表示装置の表示方法において、表示する表示ラインの画像情報と前記表示する表示ラインの次の表示ラインの画像情報とを比較して両者同じであれば両表示ラインを時間的に纏めて駆動することを特徴とするマトリクス型表示装置の表示方法。
【請求項４】
請求項１及び請求項２の何れか一に記載のマトリクス型表示装置の表示方法において、前記同じ画像情報が連続して複数存在する場合には当該同じ画像情報に対応する複数の表示ラインを時間的に纏めて駆動することを特徴とするマトリクス型表示装置の表示方法。
【請求項５】
請求項１〜請求項４の何れか一に記載のマトリクス型表示装置の表示方法において、全ての表示ラインに対応する画像情報を検索し、同じ画像情報が複数存在する場合には当該同じ画像情報に対応する複数の表示ラインを時間的に纏めて駆動することを特徴とするマトリクス型表示装置の表示方法。
【請求項６】
請求項１〜請求項５の何れか一に記載の表示方法が適用されたマトリクス型表示装置であって、表示状態を維持できるメモリ機能を備えたマトリクス型表示装置。
【発明の詳細な説明】
【技術分野】
【０００１】
この発明は、画像情報に基づいて複数の電極に電圧が印加されることにより当該電圧印加の各電極に対応した表示ラインが駆動され当該駆動表示ライン上に前記画像情報に応じた表示を行うマトリクス型表示装置の表示方法及びマトリクス型表示装置に関するものである。
【背景技術】
【０００２】
従来のマトリクス型表示装置の一般的な表示方法は、図１２に示すように、表示パネル１５の列（横）方向および行（縦）方向の夫々の電極1315，1415に画像情報に対応して駆動電圧を印加し、各々の電極1315，1415が交差している画素が画像情報に応じた表示を行うようにしてあり、その場合、表示パネル１５の上から下まで、つまり表示ライン１〜表示ラインｍまで、１ラインづつ順番に駆動して画面全体を表示する。
【０００３】
なお、画像情報に対応して、前記表示ライン１〜表示ラインｍ上の所定の画素に表示動作（図示の塗りつぶし部分）させるように、列信号駆動制御部１３から、前記所定画素に対応する列電極1315に駆動電圧を印加するようになっている。
【０００４】
また、前記表示ライン１〜表示ラインｍまでの順次駆動は、行信号駆動制御部１４により、表示ライン１〜表示ラインｍに対応する行電極1415にその上から下まで順番に駆動電圧を印加することにより行われている。
【０００５】
前述のように、従来のマトリクス型表示装置の一般的な表示方法は、表示ライン１〜表示ラインｍまで、１ラインづつ順番に所定の走査時間で駆動して画面全体を表示するようになっているので、画面全体を表示するのに、例えば、単色塗りつぶし等の単純な画面も複雑な画面も同じ時間がかかる。また、解像度が高く表示ライン数が多くなるほど画面全体の表示速度が低下する。従って、マトリクス型表示装置の表示方法においては、画面全体の表示速度を早くする工夫が必要である。
【０００６】
マトリクス型表示装置において、画面全体の表示速度を早くする表示方法の一として、例えば特開２００１−４２３５２号公報（特許文献１）に記載のように、連続した複数の走査電極を同時に選択し、同じ信号電極（列電極）上に並ぶ複数の選択画素のデ−タから作成した新しい画像デ−タを表示するものがある。この特許文献１に掲載の表示方法においては、表示画面に表示される画像は、元の画像情報と異なる画像となるが、画面全体の表示速度は早くなる。
【０００７】
【特許文献１】特開２００１−４２３５２号公報（図２，図３及びその説明）
【発明の開示】
【発明が解決しようとする課題】
【０００８】
前述のように、マトリクス型表示装置の表示方法においては、画面全体の表示速度を早くする工夫が必要である。
【０００９】
この発明は、マトリクス型表示装置の表示方法において、前述の特許文献１とは異なる観点からなされたもので、画面全体の表示速度を早くすることを目的とするものである。
【課題を解決するための手段】
【００１０】
この発明に係るマトリクス型表示装置の表示方法は、画像情報に基づいて複数の電極に電圧が印加されることにより当該電圧印加の各電極に対応した表示ラインが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動するものである。
【発明の効果】
【００１１】
この発明は、画像情報に基づいて複数の電極に電圧が印加されることにより当該電圧印加の各電極に対応した表示ラインが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動するので、画面全体の表示速度を早くすることができる効果がある。
【発明を実施するための最良の形態】
【００１２】
実施の形態１．
以下この発明の実施の形態１を図１〜図３により説明する。図１はマトリクス型表示装置の全体構成の一例を示す図、図２はマトリクス型表示装置の表示方法における画像情報の検索および表示ラインの駆動の概念を例示する図、図３はマトリクス型表示装置の表示方法において駆動する表示ラインを判別選定する手順の一例をフロ−チャ−トで示す図である。なお、各図中、同一符合は同一部分を示す。
【００１３】
図１において、マトリクス型表示装置の全体は、画像メモリ１０、コントロ−ラ１１、画像情報デ−タ判定部１２、列信号駆動制御部１３、行信号駆動制御部１４、およびコレステリック・マトリックス型液晶表示装置等のマトリックス型の表示パネル１５により構成されている。
【００１４】
前記コントロ−ラ１１により、前記画像メモリ１０へ画像を書き込む。前記画像メモリ１０へ書き込んだ画像情報を元に、前記画像情報デ−タ判定部１２は、これから描画する画像情報のデ−タを前記列信号駆動制御部１３へセットするとともに、駆動する表示ライン（図２における表示ライン１，２，３，・・・ｎ，ｎ＋１，・・・ｎ＋ｉ，・・・ｍ。図１では図示省略）を順次選定して、描画する表示ラインを前記行信号駆動制御部１４に対して指示する。
【００１５】
前記列信号駆動制御部１３が、前記セットされた画像情報のデ−タを基に駆動電圧を画像情報に対応した所定の列電極（図２の列電極1315。図１では図示省略。）に印加し、前記行信号駆動制御部１４が、前記画像情報デ−タ判定部１２から指示された表示ライン（図２の表示ラインｎ，ｎ＋１）に対応した行電極（図２の行電極1415。図１では図示省略。）に印加して、前記マトリックス型の表示パネル１５へ前記画像情報に対応した表示を行う。
【００１６】
また、前記コントロ−ラ１１には、前記画像メモリ１０に書き込まれた画像情報のデ−タを検索し前記表示ライン単位で画像情報の同一性を判別する検索ツ−ル（ソフト）が搭載してあり、当該検索ツ−ル（ソフト）による検索結果、同一の画像情報が存在する場合には当該同一の画像情報に対応する各表示ラインを同時駆動等の時間的に纏めて駆動させる指令を前記画像情報デ−タ判定部１２に与え、当該指令があった場合は、前記画像情報デ−タ判定部１２は当該指令に対応して同時駆動等の時間的に纏めて駆動させる各表示ラインを同時駆動等の時間的に纏めて駆動させるように前記行信号駆動制御部１４に対して指示する。前記行信号駆動制御部１４は、同時駆動等の時間的に纏めて駆動させる各表示ラインを同時駆動等の時間的に纏めて駆動させるように前記画像情報デ−タ判定部１２から指示された場合は、当該同時駆動等の時間的に纏めて駆動させる各表示ラインに対応する各行電極1415に、駆動電圧を同時印加等、時間的に纏めて印加する。
【００１７】
前記マトリックス型の表示パネル１５は、前記駆動電圧の印加を停止しても表示状態を維持できるメモリ特性を有しているものである。
【００１８】
また、この発明の実施の形態１および後述のこの発明の実施の形態２〜５の何れも、同一の画像情報を表示する表示ラインの数が多いほど表示速度が速くなる特徴を有しており、従って、各種設備機器の配置図や系統図、各種水系の系統図などの表示を行う各種産業システムにおける表示装置等のように同一の画像情報を表示する表示ラインが存在する用途に適する。
【００１９】
この発明の実施の形態１のマトリクス型表示装置の表示方法における画像情報の検索および表示ラインの駆動の概念は、図２に示してある通りである。
【００２０】
図２において、画像情報の画面表示は、前記表示パネル１５における前記表示ライン１〜ｍで行われる。
【００２１】
前記表示ライン１〜ｍの駆動は、この発明の実施の形態１においては、先ず前記コントロ−ラ１１に搭載の検索ツ−ル（ソフト）によって、図１における画像メモリ１０に書き込まれた画像情報のデ−タに対して、前記表示ライン１に対応する画像情報のデ−タ、前記表示ライン２に対応する画像情報のデ−タ、前記表示ライン３に対応する画像情報のデ−タ、・・・前記表示ラインｍに対応する画像情報のデ−タの順に検索が行われ、検索の結果、もし同一の画像情報が無い場合には、前記表示ライン１、前記表示ライン２、前記表示ライン３、・・・前記表示ラインｍの順に駆動される。換言すれば、前記表示ライン１〜ｍの駆動は、先頭の表示ライン（図示最上段）から順に最後尾の表示ライン（図示最下段）まで連続的に行われる。
【００２２】
ここで、前記検索により、任意の表示ラインｎに対する画像情報のデ−タ（図１における画像メモリ１０に書き込まれた画像情報のデ−タ）が、次の表示ラインｎ＋１に対する画像情報のデ−タ（図１における画像メモリ１０に書き込まれた画像情報のデ−タ）と同じであれば、前述のようにコントロ−ラ１１に搭載の検索ツ−ル（ソフト）によって、同じであることが判別され、画像情報デ−タ判定部１２（図１参照）からの指令により、行信号駆動制御部１４が、前記表示ラインｎに対応する行電極1415および表示ラインｎ＋１に対応する行電極1415に、同時に駆動電圧を印加し（従来のように１ラインづつ順番に所定の走査時間で印加するのではなく時間的に纏めて印加し）、その結果、前記２つの表示ラインｎおよび表示ラインｎ＋１は、従来のように所定の走査時間での走査に基づき１ラインづつ順番に表示動作するのではなく、同時に表示動作する。換言すれば、前記２つの表示ラインは視覚的に同時に画像表示する。
【００２３】
このように前記２つの表示ラインｎおよび表示ラインｎ＋１が同時表示する分、表示時間の短縮を図れる。前記表示ライン１〜ｍに対応する各画像情報の中で同一の画像情報が多くなればなるほど、画面全体（表示ライン１〜ｍ）の表示速度は、１ラインづつ順次表示していた一般的な従来の表示方法に比べ、一層早くなる。例えば、画面全体（表示ライン１〜ｍ）の殆どが単色の同一画像となるような画像情報であった場合、画面全体（表示ライン１〜ｍ）がほぼ同時に表示される。
【００２４】
次に、この発明の実施の形態１のマトリクス型表示装置の表示方法において駆動する表示ラインを判別選定する手順の一例を、フロ−チャ−トで示す図３により、そのフロ−に沿って説明する。
【００２５】
図３において、ステップＳＴ３０１でｎを１に初期化し、ステップＳＴ３０２で表示ラインｎに対応する画像情報のデ−タを取り込み、ステップＳＴ３０３でｎがｍに到達したかどうか判定する。
【００２６】
このステップＳＴ３０３での判定結果がｎ＝ｍであれば、ステップＳＴ３０９で表示ラインｎを駆動し、ステップＳＴ３１０でｎを１進める。
【００２７】
前記ステップＳＴ３０３での判定結果がｎ＝ｍでなければ、ステップＳＴ３０４で表示ラインｎ＋１に対応する画像情報のデ−タを取り込み、ステップＳＴ３０５で、表示ラインｎに対応する画像情報のデ−タと表示ラインｎ＋１に対応する画像情報のデ−タとの比較を行い、表示ラインｎに対応する画像情報のデ−タと表示ラインｎ＋１に対応する画像情報のデ−タとが同一の場合は、表示ラインｎと表示ラインｎ＋１とを同時に駆動し（時間的に纏めて駆動し）、ステップＳＴ３０７でｎを２進める。
【００２８】
前記ステップＳＴ３０５で表示ラインｎに対応する画像情報のデ−タと表示ラインｎ＋１に対応する画像情報のデ−タとの比較を行った結果、表示ラインｎに対応する画像情報のデ−タと表示ラインｎ＋１に対応する画像情報のデ−タとが同一でない場合は、前述のステップＳＴ３０９〜ステップＳＴ３１０の動作を行う。
【００２９】
ステップＳＴ３０８でｎ＞ｍかどうかの判定を行い、ｎがｍ以下であれば前記ステップＳＴ３０２へ戻り、前述の処理を繰り返し、ｎがｍより大きければ処理を終了する。
【００３０】
この発明の実施の形態１では前述のようにしてマトリクス型表示装置の表示方法が実行される。従って、この発明の実施の形態１は、前述のように、任意の表示ラインｎに対する画像情報のデ−タと表示ラインｎ＋１に対する画像情報のデ−タとが同じであれば、当該表示ラインｎと表示ラインｎ＋１とが同時表示し、同一の画像情報を表示する表示ラインの数が多いほど表示速度が速くなる特徴を有し、例えば、各種設備機器の配置図や系統図、各種水系の系統図などの表示を行う各種産業システムにおける表示装置等のように同一の画像情報を表示する表示ラインが存在する用途に適する。
【００３１】
また、この発明の実施の形態１を概念的に纏めると、画像情報に基づいて複数の電極に電圧が印加されることにより当該電圧印加の各電極に対応した表示ライン１〜ｍが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ライン（例えば表示ラインｎと表示ラインｎ＋１）を時間的に纏めて駆動することを特徴とするマトリクス型表示装置の表示方法であり、更にまた、表示する表示ライン（例えば表示ラインｎ）の画像情報と前記表示する表示ラインの次の表示ライン（例えば表示ラインｎ＋１）の画像情報とを比較して両者同じであれば両表示ラインを時間的に纏めて駆動することを特徴とするマトリクス型表示装置の表示方法である。
【００３２】
なお、前述のこの発明の実施の形態１においては、図１における画像メモリ１０に書き込まれた画像情報のデ−タに対して、前記表示ライン１に対応する画像情報のデ−タ、前記表示ライン２に対応する画像情報のデ−タ、前記表示ライン３に対応する画像情報のデ−タ、・・・前記表示ラインｍに対応する画像情報のデ−タの順に検索が行われる場合を例示したが、この検索の順を逆にして、前記表示ラインｍに対応する画像情報のデ−タから検索を始めてもよく、また、両者を併用してもよい。つまり、概念的には、複数の表示ライン１〜ｍに対応する画像情報を検索し、同じ画像情報が複数存在する場合には当該同じ画像情報に対応する複数の表示ラインを時間的に纏めて駆動する表示方法とする場合に、先頭の表示ライン１に対応する前記画像情報および後尾の表示ラインｍに対応する前記画像情報の少なくとも一方から順次に前記検索を行うようにすればよい。
【００３３】
実施の形態２．
以下この発明の実施の形態２を図４および図５により説明する。図４はマトリクス型表示装置の表示方法における画像情報の検索および表示ラインの駆動の概念を例示する図、図５はマトリクス型表示装置の表示方法において駆動する表示ラインを判別選定する手順の一例をフロ−チャ−トで示す図である。なお、マトリクス型表示装置の全体構成は前述のこの発明の実施の形態１における図１と同じでよいので、以下の説明において、必要に応じて図１を参照する。また、図４において図２と同一または相当部分には同一符合を付してある。
【００３４】
図４においても、図２と同様に、画像情報の画面表示は、前記表示パネル１５における前記表示ライン１〜ｍで行われる。
【００３５】
図４においては、マトリクス型表示装置の表示方法における画像情報の検索および表示ラインの駆動の概念は、任意の表示ラインｎに対する画像情報のデ−タ（図１における画像メモリ１０に書き込まれた画像情報のデ−タ）が、次の表示ラインｎ＋１に対する画像情報のデ−タ（図１における画像メモリ１０に書き込まれた画像情報のデ−タ）と同じであれば、更に続けて、順次画像情報のデ−タの前記比較を、違うデ−タになるまで繰り返し、違うデ−タかｎ＋１＝ｍであれば、表示ラインｎ〜表示ラインｎ＋ｉ−１までを同時に駆動する等、時間的に纏めて駆動する。
【００３６】
マトリクス型表示装置の表示方法において、このように画像情報の検索および表示ラインの駆動を行うことにより、特に単色での塗りつぶし範囲が多い画面では、その分を一度に表示でき、画面全体（表示ライン１〜ｍ）の表示速度は、１ラインづつ順次表示していた一般的な従来の表示方法に比べ、顕著に早くなる。換言すれば、全表示ライン１〜ｍを短時間に駆動できる。
【００３７】
全体画面が単色無地の場合は全表示ライン１〜ｍを一括して同時に駆動（時間的に纏めて駆動）でき、最短時間で駆動できる。換言すれば、画面全体（表示ライン１〜ｍ）の表示速度は、最速となる。
【００３８】
次に、この発明の実施の形態２のマトリクス型表示装置の表示方法において駆動する表示ラインを判別選定する手順の一例を、フロ−チャ−トで示す図５により、そのフロ−に沿って説明する。
【００３９】
図５において、ステップＳＴ５０１でｎを１に初期化し、ステップＳＴ５０２でｉを０に初期化する。
【００４０】
ステップＳＴ５０３で表示ラインｎに対応する画像情報のデ−タを取り込み、ステップＳＴ５０４で表示ラインｎ＋１に対応する画像情報のデ−タを取り込む。
【００４１】
ステップＳＴ５０５でｎ＋１がｍに到達したかどうか判定する。
【００４２】
ステップＳＴ５０５での判定結果、ｎ＋１がｍでなければ、ステップＳＴ５０６で表示ラインｎに対応する画像情報のデ−タと表示ラインｎ＋１に対応する画像情報のデ−タとの比較を行い、表示ラインｎに対応する画像情報のデ−タと表示ラインｎ＋１に対応する画像情報のデ−タとが同一の場合は、ステップＳＴ５０７でｉを１進めて前記ステップＳＴ５０４から前述の処理を繰り返す。前記ステップＳＴ５０６での前記比較の結果、表示ラインｎに対応する画像情報のデ−タと表示ラインｎ＋１に対応する画像情報のデ−タとが相違している場合は、ステップＳＴ５０８で表示ラインｎ〜表示ラインｎ＋１を同時に駆動し（時間的に纏めて駆動し）、ｎをｉ進める。
【００４３】
前記ステップＳＴ５０５での判定結果、ｎ＋１がｍであれば、ステップＳＴ５１１で表示ラインｎに対応する画像情報のデ−タと表示ラインｎ＋ｉに対応する画像情報のデ−タとの比較を行い、表示ラインｎに対応する画像情報のデ−タと表示ラインｎ＋ｉに対応する画像情報のデ−タとが同一であれば、ステップＳＴ５１２でｉを１進めて前述のステップＳＴ５０８〜ステップＳＴ５０９の処理を行う。ステップＳＴ５１１での前記比較の結果、表示ラインｎに対応する画像情報のデ−タと表示ラインｎ＋ｉに対応する画像情報のデ−タとが相違している場合は、ステップＳＴ５１３で表示ラインｎ〜表示ラインｎ＋ｉ−１を同時駆動する（時間的に纏めて駆動する）。
【００４４】
ステップＳＴ５１０でｎ＞ｍかどうかの判定を行い、ｎがｍ以下であれば前記ステップＳＴ５０２へ戻り、前述の処理を繰り返し、ｎがｍより大きければ処理を終了する。
【００４５】
この発明の実施の形態２では前述のようにしてマトリクス型表示装置の表示方法が実行される。従って、この発明の実施の形態２は、前述のように、任意の表示ラインｎに対する画像情報のデ−タと表示ラインｎ＋１に対する画像情報のデ−タとが同じであれば、更に続けて、順次画像情報のデ−タの前記比較を、違うデ−タになるまで繰り返し、違うデ−タかｎ＋１＝ｍであれば、表示ラインｎ〜表示ラインｎ＋ｉ−１までを同時に駆動する等、時間的に纏めて駆動するので、特に単色での塗りつぶし範囲が多い画面では、その分を一度に表示でき、画面全体（表示ライン１〜ｍ）の表示速度は、１ラインづつ順次表示していた一般的な従来の表示方法に比べ、顕著に早くなる。換言すれば、全表示ライン１〜ｍを短時間に駆動できる。全体画面が単色無地の場合は全表示ライン１〜ｍを一括して同時に駆動（時間的に纏めて駆動）でき、最短時間で駆動できる。換言すれば、画面全体（表示ライン１〜ｍ）の表示速度は、最速となる。従って、例えば、各種設備機器の配置図や系統図、各種水系の系統図などの表示を行う各種産業システムにおける表示装置等のように同一の画像情報を表示する表示ラインが存在する用途に適する。
【００４６】
また、この発明の実施の形態２を概念的に纏めると、画像情報に基づいて複数の電極に電圧が印加されることにより当該電圧印加の各電極に対応した表示ライン１〜ｍが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ライン（例えば表示ラインｎ，表示ラインｎ＋１，・・・表示ラインｎ＋ｉ）を時間的に纏めて駆動するものであり、しかも、前記同じ画像情報が連続して複数存在する場合には当該同じ画像情報に対応する複数の表示ラインを時間的に纏めて駆動するものである。
【００４７】
実施の形態３．
以下この発明の実施の形態３を図６および図７により説明する。図６はマトリクス型表示装置の表示方法における画像情報の検索および表示ラインの駆動の概念を例示する図、図７はマトリクス型表示装置の表示方法において駆動する表示ラインを判別選定する手順の一例をフロ−チャ−トで示す図である。なお、マトリクス型表示装置の全体構成は前述のこの発明の実施の形態１における図１と同じでよいので、以下の説明において、必要に応じて図１を参照する。また、図６において、図２及び図４と同一または相当部分には同一符合を付してある。
【００４８】
図６においても、図２及び図４と同様に、画像情報の画面表示は、前記表示パネル１５における前記表示ライン１〜ｍで行われる。
【００４９】
図６においては、マトリクス型表示装置の表示方法における画像情報の検索および表示ラインの駆動の概念は、前記同一情報の検索として、前記表示ライン１〜ｍにおける先頭の表示ライン１の側の表示ラインに対する画像情報のデ−タから最後尾の表示ラインｍの側の表示ラインに対する画像情報のデ−タの方向への検索、および前記表示ライン１〜ｍにおける最後尾表示ラインｍの側の表示ラインに対する画像情報のデ−タから先頭表示ライン１の側の表示ラインに対する画像情報のデ−タの方向への検索、の双方を行い、何れの検索においても、同一の画像情報があった場合、当該同一の画像情報に対応する各表示ラインを同時に駆動するものである。
【００５０】
例えば、前記先頭表示ライン１の側の表示ラインに対する画像情報のデ−タから最後尾表示ラインｍの側の表示ラインに対する画像情報のデ−タの方向への検索において任意の表示ラインｎに対する画像情報のデ−タ（図１における画像メモリ１０に書き込まれた画像情報のデ−タ）が、次の表示ラインｎ＋１に対する画像情報のデ−タ（図１における画像メモリ１０に書き込まれた画像情報のデ−タ）と同じであれば、また、前記最後尾表示ラインｍの側の表示ラインに対する画像情報のデ−タから先頭表示ライン１の側の表示ラインに対する画像情報のデ−タの方向への検索において任意の表示ラインｓに対する画像情報のデ−タ（図１における画像メモリ１０に書き込まれた画像情報のデ−タ）が、次の表示ラインｓ−１に対する画像情報のデ−タ（図１における画像メモリ１０に書き込まれた画像情報のデ−タ）と同じであれば、それら同じ画像情報に対応する表示ラインｎ，ｎ＋１，ｓ，ｓ−１の最大４ラインが、同時に駆動（時間的に纏めて駆動）されて図６に示してあるように同時に表示動作する。
【００５１】
このように、前記表示ライン１〜ｍにおける先頭表示ライン１の側の表示ラインに対する画像情報のデ−タから最後尾表示ラインｍの側の表示ラインに対する画像情報のデ−タの方向への検索、および前記表示ライン１〜ｍにおける最後尾表示ラインｍの側の表示ラインに対する画像情報のデ−タから先頭表示ライン１の側の表示ラインに対する画像情報のデ−タの方向への検索、の双方を行い、何れの検索においても、同一の画像情報があった場合、当該同一の画像情報に対応して表示パネル１５の画面の上下から表示パネルを同時駆動するので、例えば、単一色の背景に文字などを表示した上下に余白の多い画面の場合には、表示時間の一層の短縮を図れる。
【００５２】
次に、この発明の実施の形態３のマトリクス型表示装置の表示方法において駆動する表示ラインを判別選定する手順の一例を、フロ−チャ−トで示す図７により、そのフロ−に沿って説明する。
【００５３】
ステップＳＴ７０１でｎを１に初期化し、ステップＳＴ７０２でｓをｍに初期化する。
【００５４】
ステップＳＴ７０３で表示ラインｎに対応する画像情報のデ−タを取り込み、ステップＳＴ７０４でｎとｓとが同一表示ラインかどうかの判定を行い、その判定の結果、同一であればステップＳＴ７２５で表示ラインｎを駆動し、ステップＳＴ７２６でｎを１進める。
【００５５】
前記ステップＳＴ７０４での判定結果、ｎとｓとが同一表示ラインでない場合は、ステップＳＴ７０５で表示ラインｎ＋１に対応する画像情報のデ−タを取り込む。
【００５６】
ステップＳＴ７０６でｎ＋１とｓとが同一表示ラインかどうかの判定を行い、判定の結果、同一であればステップＳＴ７１７で表示ラインｎと表示ラインｎ＋１とを同時に駆動し（時間的に纏めて駆動し）、ステップＳＴ７１８でｎを２進める。
【００５７】
前記ステップＳＴ７０６での判定結果、ｎ＋１とｓとが同一表示ラインでない場合は、ステップＳＴ７０７で表示ラインｓに対応する画像情報のデ−タを取り込む。
【００５８】
ステップＳＴ７０８でｎ＋１とｓ−１とが同一表示ラインかどうかの判定を行い、判定の結果、同一であればステップＳＴ７１５で表示ラインｎと表示ラインｎ＋１と表示ラインｓとを同時に駆動し（時間的に纏めて駆動し）、ステップＳＴ７１６でｎを２増やし、ｓを１減らす。
【００５９】
前記ステップＳＴ７０８での判定結果、ｎ＋１とｓ−１とが同一表示ラインでない場合は、ステップＳＴ７０９で表示ラインｓ−１に対応する画像情報のデ−タを取り込む。
【００６０】
ステップＳＴ７１０で表示ラインｎに対応する画像情報のデ−タと表示ラインｎ＋１に対応する画像情報のデ−タとの比較を行い、その比較の結果、表示ラインｎに対応する画像情報のデ−タと表示ラインｎ＋１に対応する画像情報のデ−タとが同一でない場合は、更にステップＳＴ７１９で表示ラインｎに対応する画像情報のデ−タと表示ラインｓに対応する画像情報のデ−タとの比較を行い、その比較の結果、表示ラインｎに対応する画像情報のデ−タと表示ラインｓに対応する画像情報のデ−タとが同一でない場合は、前記ステップＳＴ７２５〜ＳＴ７２６の処理を行う。
【００６１】
前記ステップＳＴ７１９での前記比較の結果、表示ラインｎに対応する画像情報のデ−タと表示ラインｓに対応する画像情報のデ−タとが同一であれば、ステップＳＴ７２０で表示ラインｎに対応する画像情報のデ−タと表示ラインｓ−１に対応する画像情報のデ−タとの比較を行い、この比較の結果、表示ラインｎに対応する画像情報のデ−タと表示ラインｓ−１に対応する画像情報のデ−タとが同一であれば、ステップＳＴ７２１で表示ラインｓと表示ラインｓ−１とを同時に駆動し（時間的に纏めて駆動し）、ステップＳＴ７２２でｎを１増やし、ｓを２減らす。
【００６２】
前記ステップＳＴ７２０での前記比較の結果、表示ラインｎに対応する画像情報のデ−タと表示ラインｓ−１に対応する画像情報のデ−タとが同一でない場合は、ステップＳＴ７２３で表示ラインｎと表示ラインｓとを同時に駆動し（時間的に纏めて駆動し）、ステップＳＴ７２４でｎを１増やし、ｓを１減らす。
【００６３】
前記ステップＳＴ７１０での比較の結果、表示ラインｎに対応する画像情報のデ−タと表示ラインｎ＋１に対応する画像情報のデ−タとが同一であれば、ステップＳＴ７１１で表示ラインｎに対応する画像情報のデ−タと表示ラインｓに対応する画像情報のデ−タとの比較を行い、この比較の結果、表示ラインｎに対応する画像情報のデ−タと表示ラインｓに対応する画像情報のデ−タとが同一でない場合は、前記ステップＳＴ７１７〜ＳＴ７１８の処理を行う。
【００６４】
前記ステップＳＴ７１１ででの比較の結果、表示ラインｎに対応する画像情報のデ−タと表示ラインｓに対応する画像情報のデ−タとが同一であれば、ステップＳＴ７１２で表示ラインｎに対応する画像情報のデ−タと表示ラインｓ−１に対応する画像情報のデ−タとの比較を行い、この比較の結果、表示ラインｎに対応する画像情報のデ−タと表示ラインｓ−１に対応する画像情報のデ−タとが同一でない場合は、前記ステップＳＴ７１５〜ＳＴ７１６の処理を行う。
【００６５】
前記ステップＳＴ７１２での比較の結果、表示ラインｎに対応する画像情報のデ−タと表示ラインｓ−１に対応する画像情報のデ−タとが同一であれば、ＳＴ７１３で表示ラインｎと表示ラインｎ＋１と表示ラインｓと表示ラインｓ−１とを同時に駆動し（時間的に纏めて駆動し）、ステップＳＴ７１４でｎを２増やし、ｓを２減らす。
【００６６】
ステップＳＴ７２７でｎ＞ｓかどうかの判定を行い、ｎがｓ以下であれば前記ステップＳＴ７０３へ戻り、前述の処理を繰り返し、ｎがｓより大きければ処理を終了する。
【００６７】
この発明の実施の形態３では前述のようにしてマトリクス型表示装置の表示方法が実行される。従って、この発明の実施の形態３は、前述のように、前記表示ライン１〜ｍにおける先頭の表示ライン１に対する画像情報のデ−タから最後尾の表示ラインｍに対する画像情報のデ−タの方向への検索、および前記表示ライン１〜ｍにおける最後尾ｍの表示ラインに対する画像情報のデ−タから先頭の表示ライン１に対する画像情報のデ−タの方向への検索、の双方を行い、何れの検索においても、同一の画像情報があった場合、当該同一の画像情報に対応して表示パネル１５の画面の上下から表示パネルを同時駆動するので、例えば、単一色の背景に文字などを表示した上下に余白の多い画面の場合には、表示時間の一層の短縮を図れる。
【００６８】
また、この発明の実施の形態３を概念的に纏めると、画像情報に基づいて複数の電極に電圧が印加されることにより当該電圧印加の各電極に対応した表示ライン１〜ｍが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動するものであり、しかも、先頭の表示ライン１の側の表示ラインに対応する前記画像情報および最後尾の表示ラインｍの側の表示ラインに対応する前記画像情報の少なくとも一方から順次に前記検索を行うものである。
【００６９】
実施の形態４．
以下この発明の実施の形態４を図８および図９により説明する。図８はマトリクス型表示装置の表示方法における画像情報の検索および表示ラインの駆動の概念を例示する図、図９はマトリクス型表示装置の表示方法において駆動する表示ラインを判別選定する手順の一例をフロ−チャ−トで示す図である。なお、マトリクス型表示装置の全体構成は前述のこの発明の実施の形態１における図１と同じでよいので、以下の説明において、必要に応じて図１を参照する。また、図８において、図２、図４及び図６と同一または相当部分には同一符合を付してある。
【００７０】
図８においても、図２、図４及び図６と同様に、画像情報の画面表示は、前記表示パネル１５における前記表示ライン１〜ｍで行われる。
【００７１】
図８においては、マトリクス型表示装置の表示方法における画像情報の検索および表示ラインの駆動の概念は、前記同一情報の検索として、前記表示ライン１〜ｍにおける先頭の表示ライン１に対する画像情報のデ−タから最後尾の表示ラインｍに対する画像情報のデ−タの方向への検索、および前記表示ライン１〜ｍにおける最後尾ｍの表示ラインに対する画像情報のデ−タから先頭の表示ライン１に対する画像情報のデ−タの方向への検索、の双方を行い、何れの検索においても、同一の画像情報があった場合、当該同一の画像情報に対応する各表示ラインを同時に駆動（時間的に纏めて駆動）するものである。
【００７２】
例えば、前記先頭表示ライン１の側の表示ラインに対する画像情報のデ−タから最後尾表示ラインｍの側の表示ラインに対する画像情報のデ−タの方向への検索において任意の表示ラインｎに対する画像情報のデ−タ（図１における画像メモリ１０に書き込まれた画像情報のデ−タ）が、次の表示ラインｎ＋１に対する画像情報のデ−タ（図１における画像メモリ１０に書き込まれた画像情報のデ−タ）と同じであれば、更に続けて、順次画像情報のデ−タの前記比較を、違うデ−タになるまで繰り返し、更に、前記最後尾表示ラインｍの側の表示ラインに対する画像情報のデ−タから先頭表示ライン１の側の表示ラインに対する画像情報のデ−タの方向へも任意の表示ラインｓに対する画像情報のデ−タから順次画像情報のデ−タの前記比較を行い、違うデ−タになるかｎ＋ｉ＝ｓであれば、表示ラインｎ〜表示ラインｎ＋ｉ−１まで及び表示ラインｓ−ｊ+１〜表示ラインｓまでが、同時に駆動（時間的に纏めて駆動）されて図８に示してあるように同時に表示動作する。
【００７３】
このように動作することにより、特に単色の塗りつぶし範囲が多い画面では、その分一度に表示でき、画面全体（表示ライン１〜ｍ）の表示速度は、１ラインづつ順次表示していた一般的な従来の表示方法に比べ、顕著に早くなる。換言すれば、全表示ライン１〜ｍを短時間に駆動できる。また、前述のこの発明の実施の形態３と同様に、前記表示ライン１〜ｍにおける先頭表示ライン１の側の表示ラインに対する画像情報のデ−タから最後尾表示ラインｍの側の表示ラインに対する画像情報のデ−タの方向への検索、および前記表示ライン１〜ｍにおける最後尾表示ラインｍの側の表示ラインに対する画像情報のデ−タから先頭表示ライン１の側の表示ラインに対する画像情報のデ−タの方向への検索、の双方を行い、何れの検索においても、同一の画像情報があった場合、当該同一の画像情報に対応して表示パネル１５の画面の上下から表示パネルを同時駆動するので、例えば、単一色の背景に文字などを表示した上下に余白の多い画面の場合には、表示時間の一層の短縮を図ることができる。
【００７４】
次に、この発明の実施の形態４のマトリクス型表示装置の表示方法において駆動する表示ラインを判別選定する手順の一例を、フロ−チャ−トで示す図９により、そのフロ−に沿って説明する。
【００７５】
ステップＳＴ９０１でｎを１に初期化し、ステップＳＴ９０２でｓをｍに初期化し、ステップＳＴ９０３でｉを０に初期化する。
【００７６】
ステップＳＴ９０４で表示ラインｎに対応する画像情報のデ−タを取り込み、ステップＳＴ９０５で表示ラインｎ＋ｉに対応する画像情報のデ−タを取り込む。
【００７７】
ステップＳＴ９０６でｎ＋ｉとｓとが同一表示ラインかどうかの判定を行い、その判定の結果、同一であれば、ステップＳＴ９０７で更に表示ラインｎに対応する画像情報のデ−タと表示ラインｎ＋ｉに対応する画像情報のデ−タとの比較を行い、その比較の結果、表示ラインｎに対応する画像情報のデ−タと表示ラインｎ＋ｉに対応する画像情報のデ−タとが同一でない場合は、ステップＳＴ９２０で表示ラインｎ〜表示ラインｎ＋ｉ−１を同時に駆動し（時間的に纏めて駆動し）、ステップＳＴ９１６へ処理を移す。
【００７８】
ステップＳＴ９１７で表示ラインｎに対応する画像情報のデ−タと表示ラインｎ＋ｉに対応する画像情報のデ−タとの比較を行い、その比較の結果、表示ラインｎに対応する画像情報のデ−タと表示ラインｎ＋ｉに対応する画像情報のデ−タとが同一である場合は、ステップＳＴ９１８でｉを１増やし、ステップＳＴ９１９で表示ラインｎ〜表示ラインｎ＋ｉ−１を同時に駆動し（時間的に纏めて駆動し）、ステップＳＴ９１５へ処理を移す。
【００７９】
ステップＳＴ９０６での前記比較の結果、ｎ＋ｉとｓとが同一表示ラインでない場合は、ステップＳＴ９０７で表示ラインｎに対応する画像情報のデ−タと表示ラインｎ＋ｉに対応する画像情報のデ−タとの比較を行い、その比較の結果、表示ラインｎに対応する画像情報のデ−タと表示ラインｎ＋ｉに対応する画像情報のデ−タとが同一であれば、ステップＳＴ９０８でｉを１増やし、前記ステップＳＴ９０５へ戻り前述の処理を繰り返す。
【００８０】
前記ステップＳＴ９０７での前記比較の結果、表示ラインｎに対応する画像情報のデ−タと表示ラインｎ＋ｉに対応する画像情報のデ−タとが同一でない場合は、ステップＳＴ９０９でｊを０に初期化する。
【００８１】
ステップＳＴ９１０で表示ラインｓ−ｊに対応する画像情報のデ−タを取り込み、ステップＳＴ９１１で表示ラインｎに対応する画像情報のデ−タと表示ラインｓ−ｊに対応する画像情報のデ−タとの比較を行い、その比較の結果、表示ラインｎに対応する画像情報のデ−タと表示ラインｓ−ｊに対応する画像情報のデ−タとが同一であれば、ステップＳＴ９１２でｊを１増やし、前記ステップＳＴ９１０に戻り前述の処理を繰り返す。
【００８２】
前記ステップＳＴ９１１での前記比較の結果、表示ラインｎに対応する画像情報のデ−タと表示ラインｓ−ｊに対応する画像情報のデ−タとが同一でない場合は、ステップＳＴ９１３で表示ラインｎ〜表示ラインｎ＋ｉ−１と表示ラインｓ−ｊ＋１〜表示ラインｓとを同時に駆動（時間的に纏めて駆動）する。
【００８３】
ステップＳＴ９１４でｓにｓ−ｊを代入する。ステップＳＴ９１５でｎにｎ＋ｉを代入する。ステップＳＴ９１６でｎ＞ｓかどうかの判定を行い、ｎがｓ以下であれば前記ステップＳＴ９０３へ戻り、前述の処理を繰り返し、ｎがｓより大きければ処理を終了する。
【００８４】
この発明の実施の形態４では前述のようにしてマトリクス型表示装置の表示方法が実行される。従って、この発明の実施の形態４は、前述のように、前記先頭表示ライン１の側の表示ラインに対する画像情報のデ−タから最後尾表示ラインｍの側の表示ラインに対する画像情報のデ−タの方向への検索において任意の表示ラインｎに対する画像情報のデ−タ（図１における画像メモリ１０に書き込まれた画像情報のデ−タ）が、次の表示ラインｎ＋１に対する画像情報のデ−タ（図１における画像メモリ１０に書き込まれた画像情報のデ−タ）と同じであれば、更に続けて、順次画像情報のデ−タの前記比較を、違うデ−タになるまで繰り返し、更に、前記最後尾表示ラインｍの側の表示ラインに対する画像情報のデ−タから先頭表示ライン１の側の表示ラインに対する画像情報のデ−タの方向へも任意の表示ラインｓに対する画像情報のデ−タから順次画像情報のデ−タの前記比較を行い、違うデ−タになるかｎ＋ｉ＝ｓであれば、表示ラインｎ〜表示ラインｎ＋ｉ−１まで及び表示ラインｓ−ｊ+１〜表示ラインｓまでが、同時に駆動（時間的に纏めて駆動）されて図８に示してあるように同時に表示動作する。
【００８５】
従って、特に単色の塗りつぶし範囲が多い画面では、その分一度に表示でき、画面全体（表示ライン１〜ｍ）の表示速度は、１ラインづつ順次表示していた一般的な従来の表示方法に比べ、顕著に早くなる。換言すれば、全表示ライン１〜ｍを短時間に駆動できる。また、前述のこの発明の実施の形態３と同様に、前記表示ライン１〜ｍにおける先頭表示ライン１の側の表示ラインに対する画像情報のデ−タから最後尾表示ラインｍの側の表示ラインに対する画像情報のデ−タの方向への検索、および前記表示ライン１〜ｍにおける最後尾表示ラインｍの側の表示ラインに対する画像情報のデ−タから先頭表示ライン１の側の表示ラインに対する画像情報のデ−タの方向への検索、の双方を行い、何れの検索においても、同一の画像情報があった場合、当該同一の画像情報に対応して表示パネル１５の画面の上下から表示パネルを同時駆動するので、例えば、単一色の背景に文字などを表示した上下に余白の多い画面の場合には、表示時間が一層短縮される。
【００８６】
また、この発明の実施の形態４を概念的に纏めると、画像情報に基づいて複数の電極に電圧が印加されることにより当該電圧印加の各電極に対応した表示ライン１〜ｍが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動するものであり、しかも、先頭の表示ライン１の側の表示ラインに対応する前記画像情報および最後尾の表示ラインｍの側の表示ラインに対応する前記画像情報の少なくとも一方から順次に前記検索を行うものであり、更に同じ画像情報が連続して複数存在する場合には当該同じ画像情報に対応する複数の表示ラインを時間的に纏めて駆動するものである。
【００８７】
実施の形態５．
以下この発明の実施の形態５を図１０および図１１により説明する。図１０はマトリクス型表示装置の表示方法における画像情報の検索および表示ラインの駆動の概念を例示する図、図１１はマトリクス型表示装置の表示方法において駆動する表示ラインを判別選定する手順の一例をフロ−チャ−トで示す図である。なお、マトリクス型表示装置の全体構成は前述のこの発明の実施の形態１における図１と同じでよいので、以下の説明において、必要に応じて図１を参照する。また、図１０において、図２、図４、図６及び図８と同一または相当部分には同一符合を付してある。
【００８８】
図１０においても、図２、図４、図６及び図８と同様に、画像情報の画面表示は、前記表示パネル１５における前記表示ライン１〜ｍで行われる。
【００８９】
図１０においては、マトリクス型表示装置の表示方法における画像情報の検索および表示ラインの駆動の概念は、前記同一情報の検索として、任意の表示ラインｎに対応する画像情報のデ−タから表示ラインｍに対応する画像情報のデ−タまでをその先頭から検索し、その間、画像情報のデ−タが同一のものが有ればそれら画像情報に対応する表示ラインを記憶し、最終の表示ラインまで検索した後、前記記憶してある同一画像情報の表示ラインの全てを同時に駆動（時間的に纏めて駆動）するものである。
【００９０】
このように動作することにより、前述のこの発明の実施の形態１〜４と同様に、上下対称の画面や、単一色の背景に文字を配する場合のように上下に余白が多い画面を表示するような用途に有効であるが、これに加えて、画面全体を対象として画像情報のデ−タを検索することで例えば格子状などの規則的なパタ−ンを画面表示する場合に表示時間の短縮を図ることができる。
【００９１】
次に、この発明の実施の形態５のマトリクス型表示装置の表示方法において駆動する表示ラインを判別選定する手順の一例を、フロ−チャ−トで示す図１１により、そのフロ−に沿って説明する。
【００９２】
ステップＳＴ１１０１でｎを１に初期化し、ステップＳＴ１１０２で配列ｆ［ｍ］を０で初期化し、ステップＳＴ１１０３で配列ｄ［ｍ］を０で初期化する。
【００９３】
ステップＳＴ１１０４でｉを０に初期化し、ステップＳＴ１１０５で表示ラインｎに対応する画像情報のデ−タを取り込む。
【００９４】
ステップＳＴ１１０６でｊを１に初期化し、ステップＳＴ１１０７で表示ラインｎ＋ｉに対応する画像情報のデ−タを取り込む。
【００９５】
ステップＳＴ１１０８での判定でｎ＋ｉがｍでない場合には、ステップＳＴ１１０９でｆ［ｎ＋ｉ］が０であるかどうか判定し、その判定の結果、ｆ［ｎ＋ｉ］が０でない場合は、ステップＳＴ１１１２でｉを１増やして前記ステップＳＴ１１０７へ戻り前述の処理を繰り返す。
【００９６】
前記ステップＳＴ１１０９での判定の結果、ｆ［ｎ＋ｉ］が０の場合は、ステップＳＴ１１１０で表示ラインｎに対応する画像情報のデ−タと表示ラインｎ＋ｉに対応する画像情報のデ−タとの比較を行い、その比較の結果、表示ラインｎに対応する画像情報のデ−タと表示ラインｎ＋ｉに対応する画像情報のデ−タとが同一でない場合は、前記ステップＳＴ１１１２でｉを１増やして前記ステップＳＴ１１０７へ戻り前述の処理を繰り返す。
【００９７】
前記ステップＳＴ１１１０での前記判定の結果、表示ラインｎに対応する画像情報のデ−タと表示ラインｎ＋ｉに対応する画像情報のデ−タとが同一であれば、ステップＳＴ１１１１でｆ［ｎ＋ｉ］に１を代入、ｄ［ｊ］にｎ＋ｉを代入、ｊを１増やし、前記ステップＳＴ１１１２でｉを１増やして、前記ステップＳＴ１１０７へ戻り前述の処理を繰り返す。
【００９８】
前記ステップＳＴ１１０８での判定での判定の結果、ｎ＋ｉがｍであれば、ステップＳＴ１１１３でｆ［ｎ＋ｉ］が０であるかどうかの判定を行い、その判定結果、ｆ［ｎ＋ｉ］が０でない場合は、ステップＳＴ１１１６で表示ラインｄ［１］〜表示ラインｄ［ｊ−１］を同時に駆動し（時間的に纏めて駆動し）、処理をステップＳＴ１１１７へ移す。
【００９９】
前記ステップＳＴ１１１３での前記判定の結果、ｆ［ｎ＋ｉ］が０であれば、ステップＳＴ１１１４で表示ラインｎに対応する画像情報のデ−タと表示ラインｎ＋ｉに対応する画像情報のデ−タとの比較を行い、その比較の結果、表示ラインｎに対応する画像情報のデ−タと表示ラインｎ＋ｉに対応する画像情報のデ−タとが同一でない場合は、処理を前記ステップＳＴ１１１６へ移す。
【０１００】
前記ステップＳＴ１１１４での前記判定の結果、表示ラインｎに対応する画像情報のデ−タと表示ラインｎ＋ｉに対応する画像情報のデ−タとが同一であれば、ステップＳＴ１１１５でｆ［ｎ＋ｉ］に１を代入、ｄ［ｊ］にｎ＋ｉを代入、ｊを１増やし、ステップＳＴ１１１６で表示ラインｄ［１］〜表示ラインｄ［ｊ−１］を同時に駆動（時間的に纏めて駆動）する。
【０１０１】
ステップＳＴ１１１７とステップＳＴ１１１９との間のル−プで、ｋを１〜ｍまで１ステップずつ増加させ、ステップＳＴ１１１８での判定結果、ｆ［ｋ］が０であれば、ステップＳＴ１１２０でｎにｋを代入して前記ＳＴ１１０４へ戻り前述の処理を繰り返す。
【０１０２】
ステップＳＴ１１１７とステップＳＴ１１１９との間のル−プでステップＳＴ１１１８での判定結果、ｆ［ｋ］が０でない場合は、処理を終了する。
【０１０３】
この発明の実施の形態５では前述のようにしてマトリクス型表示装置の表示方法が実行される。従って、この発明の実施の形態５は、前述のように、任意の表示ラインｎに対応する画像情報のデ−タから表示ラインｍに対応する画像情報のデ−タまでをその先頭から検索し、その間、画像情報のデ−タが同一のものが有ればそれら画像情報に対応する表示ラインを記憶し、最終の表示ラインまで検索した後、前記記憶してある同一画像情報の表示ラインの全てを同時に駆動（時間的に纏めて駆動）するものであるので、前述のこの発明の実施の形態１〜４と同様に、上下対称の画面や、単一色の背景に文字を配する場合のように上下に余白が多い画面を表示するような用途に有効であるが、これに加えて、画面全体を対象として画像情報のデ−タを検索することで例えば格子状などの規則的なパタ−ンを画面表示する場合に表示時間の短縮を図ることができる。
【０１０４】
また、この発明の実施の形態５を概念的に纏めると、画像情報に基づいて複数の電極に電圧が印加されることにより当該電圧印加の各電極に対応した表示ライン１〜ｍが駆動され当該駆動表示ライン上に前記画像情報に応じた表示を行うマトリクス型表示装置の表示方法において、複数の表示ラインに対応する画像情報を検索し、同じ画像情報が複数存在する場合には当該同じ画像情報に対応する複数の表示ラインを時間的に纏めて駆動するものであり、しかも、全ての表示ラインに対応する画像情報を検索し、同じ画像情報が複数存在する場合には当該同じ画像情報に対応する複数の表示ラインを時間的に纏めて駆動するものである。
【図面の簡単な説明】
【０１０５】
【図１】この発明の実施の形態１を示す図で、マトリクス型表示装置の全体構成の一例を示す図である。
【図２】この発明の実施の形態１を示す図で、マトリクス型表示装置の表示方法における画像情報の検索および表示ラインの駆動の概念を例示する図である。
【図３】この発明の実施の形態１を示す図で、マトリクス型表示装置の表示方法において駆動する表示ラインを判別選定する手順の一例をフロ−チャ−トで示す図である。
【図４】この発明の実施の形態２を示す図で、マトリクス型表示装置の表示方法における画像情報の検索および表示ラインの駆動の概念を例示する図である。
【図５】この発明の実施の形態２を示す図で、マトリクス型表示装置の表示方法において駆動する表示ラインを判別選定する手順の一例をフロ−チャ−トで示す図である。
【図６】この発明の実施の形態３を示す図で、マトリクス型表示装置の表示方法における画像情報の検索および表示ラインの駆動の概念を例示する図である。
【図７】この発明の実施の形態３を示す図で、マトリクス型表示装置の表示方法において駆動する表示ラインを判別選定する手順の一例をフロ−チャ−トで示す図である。
【図８】この発明の実施の形態４を示す図で、マトリクス型表示装置の表示方法における画像情報の検索および表示ラインの駆動の概念を例示する図である。
【図９】この発明の実施の形態４を示す図で、マトリクス型表示装置の表示方法において駆動する表示ラインを判別選定する手順の一例をフロ−チャ−トで示す図である。
【図１０】この発明の実施の形態５を示す図で、マトリクス型表示装置の表示方法における画像情報の検索および表示ラインの駆動の概念を例示する図である。
【図１１】この発明の実施の形態５を示す図で、マトリクス型表示装置の表示方法において駆動する表示ラインを判別選定する手順の一例をフロ−チャ−トで示す図である。
【図１２】従来のマトリクス型表示装置の一般的な表示方法における画像情報の検索および表示ラインの駆動の概念を例示する図である。
【符号の説明】
【０１０６】
１，２，３，・・・ｍ    表示ライン、
１０    画像メモリ、
１１    コントロ−ラ、
１２    画像情報デ−タ判定部、
１３    列信号駆動制御部、
１４    行信号駆動制御部、
１５    表示パネル、
1315    列電極、
1415    行電極。
【図１】
2005338581.tif 000003
【図２】
2005338581.tif 000004
【図３】
2005338581.tif 000005
【図４】
2005338581.tif 000006
【図５】
2005338581.tif 000007
【図６】
2005338581.tif 000008
【図７】
2005338581.tif 000009
【図８】
2005338581.tif 000010
【図９】
2005338581.tif 000011
【図１０】
2005338581.tif 000012
【図１１】
2005338581.tif 000013
【図１２】
2005338581.tif 000014